(57)【要約】【課題】動画撮影時においてもズームストロボからの騒音を気にせず動画撮影を継続することが可能なデジタルカメラを提供する。【解決手段】静止画撮影モードと動画撮影モードを有するデジタルカメラであって、  ズームレンズを有する撮影レンズ３０５と、静止画撮影の際に発光される照射光が変更可能な第１の補助光手段２０７、２０９、と、動画撮影の際に発光される照射角が固定された第２の補助光手段２２３，２１３とを有する外部ストロボ２００と、静止画撮影モードにおいては、ズームレンズの焦点距離に応じて第１の補助光手段の照射角を変更し、動画撮影モードにおいては、ズームレンズの焦点距離が変更されても第１の補助光手段の照射角を変更しないカメラコントローラ１０１を有する。【選択図】  図１
2013160842.tif 000002
【特許請求の範囲】
【請求項１】
静止画撮影モードと動画撮影モードを有するデジタルカメラであって、
ズームレンズと、
上記ズームレンズの形成した光学像を電気信号に変換する撮像回路と、
上記静止画撮影モードにおいて、上記電気信号から静止画データを生成し記録し、上記動画撮影モードにおいては、上記電気信号から動画データを生成し記録するコントローラと、
静止画撮影の際に発光される照射光が変更可能な第１の補助光手段と、動画撮影の際に発光される照射角が固定された第２の補助光手段とを有するストロボ部と、
を有し、
上記コントローラは、上記静止画撮影モードにおいては、上記ズームレンズの焦点距離に応じて上記第１の補助光手段の照射角を変更し、上記動画撮影モードにおいては、上記ズームレンズの焦点距離が変更されても上記第１の補助光手段の照射角を変更しないことを特徴とするデジタルカメラ。
【請求項２】
上記コントローラは、上記動画撮影モードにおいて、上記動画データの生成を行わない待機状態で、上記ズームレンズの焦点距離に応じて上記第１の補助光手段の照射角を変更することを特徴とする請求項１に記載のデジタルカメラ。
【請求項３】
上記コントローラは、上記動画撮影モードにおいて、音声記録を伴わない動画データの生成と記録を行う場合、上記ズームレンズの焦点距離に応じて上記第１の補助光手段の照射角を変更することを特徴とする請求項１に記載のデジタルカメラ。
【請求項４】
上記デジタルカメラは、内部マイクロフォンと外部マイクロフォンの何れかを選択して音声を取得して動画データの生成と記録が可能であり、
上記コントローラは、上記外部マクロフォンが選択された場合、上記動画撮影モードが選択された場合であっても、上記ズームレンズの焦点距離に応じて上記第１の補助光手段の照射角を変更する、
ことを特徴とする請求項１に記載のデジタルカメラ。
【請求項５】
上記第１の補助光手段はＸｅ管を用いて被写体を照射し、上記第２の補助光手段は発光ダイオードを用いて被写体を照射することを特徴とする請求項１ないし４に記載のデジタルカメラ。
【発明の詳細な説明】
【技術分野】
【０００１】
本発明は、ズームストロボを有する発光装置を内蔵もしくは装着可能なデジタルカメラに関する。
【背景技術】
【０００２】
被写体が暗い場合には、照明光を照射するための発光装置が用いられている。また、撮影レンズとしては、焦点距離が可変のズームレンズを備えることが多くなってきている。ズームレンズを備えたカメラと発光装置を組み合わせて撮影する場合、焦点距離が変化すると撮影範囲（画角）が変化することから、ズーミングに連動して発光装置の照射角を変化するようにしたカメラが知られている（例えば、特許文献１）。
【先行技術文献】
【特許文献】
【０００３】
【特許文献１】特開平５−１３０４９５号公報
【発明の概要】
【発明が解決しようとする課題】
【０００４】
上述の特許文献１に開示されたカメラでは、静止画撮影と動画撮影を切り換えて撮影が可能である。また、ズームストロボの照射角の変更は、モータによって放電管や反射傘等を駆動することによって行われる。この駆動の際には、駆動音が発生するが、静止画撮影の場合は、撮影時にはモータが停止され駆動音が発生しないため、駆動音が問題となることはない。
【０００５】
しかし、動画撮影の場合には、動画撮影時にもズーミングがなされることがあり、これに連動して発光装置の照射角の変更に伴って駆動音等による騒音が発生する。動画撮影時には、被写体からの音、例えば、音声、被写体と関連する環境音が記録されるのが一般的であり、動画撮影時に発光装置の照射角の変更に伴ってモータ等の駆動音が騒音として記録されてしまう。
【０００６】
本発明は、このような事情を鑑みてなされたものであり、動画撮影時においてもズームストロボからの騒音を気にせず動画撮影を継続することが可能なデジタルカメラを提供することを目的とする。
【課題を解決するための手段】
【０００７】
上記目的を達成するため第１の発明に係わるデジタルカメラは、静止画撮影モードと動画撮影モードを有するデジタルカメラであって、ズームレンズと、上記ズームレンズの形成した光学像を電気信号に変換する撮像回路と、上記静止画撮影モードにおいて、上記電気信号から静止画データを生成し記録し、上記動画撮影モードにおいては、上記電気信号から動画データを生成し記録するコントローラと、静止画撮影の際に発光される照射光が変更可能な第１の補助光手段と、動画撮影の際に発光される照射角が固定された第２の補助光手段とを有するストロボ部と、を有し、上記コントローラは、上記静止画撮影モードにおいては、上記ズームレンズの焦点距離に応じて上記第１の補助光手段の照射角を変更し、上記動画撮影モードにおいては、上記ズームレンズの焦点距離が変更されても上記第１の補助光手段の照射角を変更しない。
【０００８】
第２の発明に係わるデジタルカメラは、上記第１の発明において、上記コントローラは、上記動画撮影モードにおいて、上記動画データの生成を行わない待機状態で、上記ズームレンズの焦点距離に応じて上記第１の補助光手段の照射角を変更する。
【０００９】
第３の発明に係わるデジタルカメラは、上記第１の発明において、上記コントローラは、上記動画撮影モードにおいて、音声記録を伴わない動画データの生成と記録を行う場合、上記ズームレンズの焦点距離に応じて上記第１の補助光手段の照射角を変更する。
【００１０】
第４の発明に係わるデジタルカメラは、上記第１の発明において、上記デジタルカメラは、内部マイクロフォンと外部マイクロフォンの何れかを選択して音声を取得して動画データの生成と記録が可能であり、上記コントローラは、上記外部マクロフォンが選択された場合、上記動画撮影モードが選択された場合であっても、上記ズームレンズの焦点距離に応じて上記第１の補助光手段の照射角を変更する。
【００１１】
第５の発明に係わるデジタルカメラは、上記第１ないし第４の発明において、上記第１の補助光手段はＸｅ管を用いて被写体を照射し、上記第２の補助光手段は発光ダイオードを用いて被写体を照射する。
【発明の効果】
【００１２】
本発明によれば、動画撮影時においてもズームストロボからの騒音を気にせず動画撮影を継続することが可能なデジタルカメラを提供することができる。
【図面の簡単な説明】
【００１３】
【図１】本発明の第１実施形態に係るデジタルカメラの主として電気的構成を示すブロック図である。
【図２】本発明の第１実施形態に係るデジタルカメラにおける静止画撮影モードの動作を示すフローチャートである。
【図３】本発明の第１実施形態に係るデジタルカメラにおける動画撮影モードの動作を示すフローチャートである。
【図４】本発明の第１実施形態に係るデジタルカメラにおけるストロボ制御の動作を示すフローチャートである。
【図５】本発明の第１実施形態に係るデジタルカメラにおけるレンズ制御の動作を示すフローチャートである。
【図６】本発明の第２実施形態に係るデジタルカメラにおける動画撮影モードの動作を示すフローチャートである。
【発明を実施するための形態】
【００１４】
以下、図面に従って本発明を適用したカメラシステムを用いて好ましい実施形態について説明する。本発明の好ましい実施形態に係わるカメラシステムのカメラはデジタルカメラであり、このデジタルカメラは、静止画撮影モードと動画撮影モードの２つのモードのいずれかで撮影可能である。ズームレンズの形成した光学像を電気信号に変換し、デジタルカメラ内のカメラコントローラ１０１は、静止画撮影モードの場合には静止画データを生成し記録し、動画撮影モードの場合には動画データを生成し記録する。
【００１５】
また、このデジタルカメラは外部ストロボを装着可能であり、この外部ストロボは、ズームレンズの焦点距離に応じて、照射角が変更される。ただし、動画撮影の際には、照射角が固定され、駆動音の発生を防止する。さらに、このデジタルカメラは、内部マイクロフォンと外部マイクロフォンの何れかを選択して音声を取得して動画データの生成と記録が可能である。
【００１６】
図１は、本発明の第１実施形態に係るカメラシステムの主として電気的構成を示すブロック図である。このカメラシステムは、カメラボディ１００、このカメラに着脱自在な外部ストロボ２００、交換レンズ３００、および外部マイク４００とから構成される。なお、カメラ本体１００に挿脱自在なアクセサリの一部あるいは全てをカメラボディ１００に組み込んでも勿論かまわない。
【００１７】
カメラボディ１００であって、後述する撮影レンズ３０５の光軸上には、撮像素子が配置され、この撮像素子は撮像回路１０３内に設けられている。撮像素子は、ＣＣＤイメージセンサやＣＭＯＳイメージセンサ等の固体撮像素子であり、撮像回路１０３は撮影レンズ３０５の形成した光学像を電気信号に変換し、この電気信号をカメラコントローラ１０１に出力する。撮影レンズ３０５の光軸上であって撮像素子との間には、シャッタ１０５が配置されており、シャッタ機構１０７の駆動によってシャッタ１０５を開閉し、これによって光学像の開閉を行う。
【００１８】
シャッタ機構１０７は、カメラコントローラ１０１に接続されており、カメラコントローラ１０１からの制御信号に従ってシャッタ１０５を駆動する。カメラコントローラ１０１内には、ＣＰＵ（Central Processing Unit）１０１ａ、画像処理回路１０１ｂ、圧縮・伸長回路１０１ｃ、焦点検出回路１０１ｄ、通信回路１０１ｅを含んでいる。
【００１９】
ＣＰＵ１０１ａは、後述する不揮発性メモリ１１３に記憶されたプログラムに従って、カメラボディ１００および他のアクセサリを統合的に制御する。
【００２０】
画像処理回路１０１ｂは、撮像回路１０３からの電気信号を入力し、画像処理を行う。画像処理としては、静止画撮影モードが設定されている場合には、撮像回路１０３から入力した電気信号に基づいて静止画データを生成する。また動画撮影モードが設定されている場合には、撮像回路１０３から入力した電気信号に基づいて動画データを生成する。その他、ホワイトバランス等、種々の画像処理を行う。
【００２１】
圧縮・伸長回路１０１ｃは、画像処理回路１０１ｂによって生成された静止画データや動画データの圧縮処理を行う。また、後述する記憶媒体１１１に記録された静止画データや動画データの伸長処理を行う。
【００２２】
焦点検出回路１０１ｄは、撮像回路１０３から出力された電気信号に基づいて、コントラスト信号を生成し、コントラストＡＦによる焦点検出を行う。この焦点検出結果に基づいて、マウントコネクタ１３３、レンズ制御コンピュータ３０１回路を通じてフォーカスレンズ３０５ｂを駆動し、ピント合わせを行う。
【００２３】
通信回路１０１ｅは、カメラボディ１００に装着される外部ストロボ２００のストロボ制御コンピュータ２０１とストロボコネクタ１３１を介して通信を行う。同様に、交換レンズ３００内のレンズ制御コンピュータ３０１とマウントコネクタ１３３を介して、また外部マクロフォン４０１とマイクコネクタ１３５を介して通信を行う。
【００２４】
カメラ表示部１０９は、カメラボディ１００の背面や電子ファインダ等に配置された液晶表示部を有し、ライブビュー表示、再生表示、メニュー画像、カメラ制御画像等、種々の画像を表示する。なお、ディスプレイとしては、液晶表示に限らず、有機ＥＬ等、画像を表示できるものであればよい。
【００２５】
記憶媒体（メモリカード）１１１は、撮像回路１０３によって取得され、画像処理１０１ｂ、圧縮・伸長回路１０１ｃによって処理された静止画または動画の画像データを記録する。また、動画撮影モードの際には、動画の画像データと共に内蔵マイクロフォン１２５または外部マイクロフォン４０１から取得した音声データも併せて記録する。カメラボディ１００内に装着自在なメモリカードに限らず、内蔵の記憶媒体でもよい。
【００２６】
不揮発性メモリ１１３は、フラッシュＲＯＭ等の電気的に書き換え可能なメモリ等であり、前述したようにＣＰＵ１０１ａが実行するためのプログラムを記憶している。また、プログラム以外にも、各種調整値等も記憶している。揮発性メモリ１１５は、ＤＲＡＭやＳＤＲＡＭ等、電気的に書き換え可能なメモリでる。揮発性メモリ１１５は、画像データを一時的に記憶したり、またプログラムの実行時の一時的記憶メモリとして使用される。
【００２７】
カメラ操作部材１１７は、ユーザがカメラを操作するために利用するプッシュスイッチ、スライドスイッチ、ダイヤル等から構成される。Ｐｏｗｅｒ  ＳＷ１１７ａはカメラの動作の起動と停止を制御する際に操作されるスイッチである。Ｕｐ  ＳＷ１１７ｂとＤｏｗｎ  ＳＷ１１７ｃは、露出補正値、シャッタ速度、絞り値、撮影モード等の複数のパラメータを一つ選択する際に操作されるスイッチである。
【００２８】
カメラ操作部材１１７の内のＭｏｖ／Ｓｔｌ  ＳＷ１１７ｄは、動画撮影モードと静止画撮影モードを切り換える際に操作されるスイッチである。静止画撮影モードにおけるカメラコントローラ１０１の動作は図２を用いて後述する。また動画撮影モードにおけるカメラコントローラ１０１の動作は図３を用いて後述する。１ｓｔＲｌｅ  ＳＷ１１７ｅと２ｎｄＲｅｌ  ＳＷ１１７ｆは、レリーズ釦の操作に応じてオンするスイッチであり、レリーズ釦を半押した際には１ｓｔＲｅｌ  ＳＷ１１７ｅがオンし、レリーズ釦を全押した際には、１ｓｔＲｅｌ  ＳＷ１１７ｅと２ｎｄＲｅｌ  ＳＷ１１７ｆがともにオンする。
【００２９】
カメラ操作部材１１７内のＭｏｖＳｔ  ＳＷ１１７ｇは、動画の記録動作の開始の指示および記録動作の停止を指示するためのスイッチである。このスイッチは動画記録釦（不図示）の操作に応じて、オンオフする。ユーザは動画像の記録を開始させる際には、動画記録釦を所定時間オンする（ＭｏｖＳｔ  ＳＷ１１７ｇを所定時間の間オン）。これによってカメラコントローラ１０１は、動画像の記録動作を開始する。動画像の記録を開始すると、その後、動画記録釦の操作を止めても（ＭｏｖＳｔ  ＳＷ１１７ｇをオフする）動画像の記録動作は維持される。動画像の記録開始後、再度、動画開始釦の操作を行うと（ＭｏｖＳｔ  ＳＷ１１７ｇを所定時間の間オン）、動画の記録動作を停止する。
【００３０】
バッテリＣ１２１は、カメラシステム内の電源供給用の電池であり、カメラ電源回路１１９に接続され、カメラ電源回路１１９を介して、カメラボディ１００、交換レンズ３００、および外部マイク４００に電源電圧が供給される。
【００３１】
内蔵マイクロフォン１２５は、周囲の音声を電気信号に変換し、この音声電気信号を音声処理回路１２３に出力する。音声処理回路１２３は、内蔵マイクロフォン１２５からの音声電気信号と、外部マイク４００からの音声電気信号の信号処理を行い、音声データをカメラコントローラ１０１に出力する。カメラコントローラ１０１は、動画の画像データを記憶媒体１１１に記録する際に、音声データも併せて記録する。
【００３２】
ストロボコネクタ１３１、マウントコネクタ１３３、マイクコネクタ１３５は、カメラボディ１００に各アクセサリ２００、３００、４００を装着した際に、電気的に接続され、通信や電源供給等を行う。
【００３３】
交換レンズ３００は、焦点距離可変のズームレンズであり、フォーカスレンズ３０５ｂ等を有する撮影レンズ３０５を備えている。レンズ操作部３１１は、撮影レンズ３０５の焦点距離を変更する際に操作される部材（ズーム環）である。ユーザがレンズ操作部材３１１を操作すると、撮影レンズ３０５を構成するレンズの一部あるいは全部の相対位置が変化し、焦点距離が変化する。
【００３４】
焦点距離エンコーダ３１３は、撮影レンズ３０５の焦点距離を検出ための焦点距離検出手段である。焦点距離エンコーダ３１３は、レンズ制御コンピュータ３０１に接続され、レンズ制御コンピュータ３０１は焦点距離エンコーダ３１３の検知出力を入力し、焦点距離情報をカメラコントローラ１０１の要求に応じて出力する。
【００３５】
レンズ制御コンピュータ３０１は、交換レンズ内に設けた不揮発性メモリ（不図示）に記憶されたプログラムに従い、かつカメラコントローラ１０１の要求に従って交換レンズ３００内の制御を行う。レンズ制御コンピュータ３０１は、前述の焦点距離エンコーダ３１３以外にも、絞り機構３０９、フォーカス機構３０３に接続されている。絞り機構３０９は、撮影レンズ３０５の光軸中に配置され、絞り機構３０９によって口径が変化することにより透過光量を制御する。フォーカス機構３０３は撮影レンズ３０５中のフォーカスレンズ３０５ｂを駆動し、ピント合わせを行う。
【００３６】
外部ストロボ２００は、カメラボディ１００に着脱自在である。外部ストロボ２００内のストロボ制御コンピュータ２０１は、ストロボコネクタ１３１を介してカメラコントローラ１０１と通信が可能であり、カメラコントローラ１０１からの要求に従って外部ストロボ２００を制御する。
【００３７】
本実施形態における外部ストロボ２００は、被写体の照明手段を２つ有する。第１の補助光手段は、発光素子としてＸｅ管（キセノン管）２０７を用いる。この第１の補助光手段は、被写体の輝度を瞬間的に高めるために用いられ、静止画の撮影時に使用される。第２の補助光手段は、発光素子としてＬＥＤ（発光ダイオード）２２３を用いる。この第２の補助光手段は、被写体の輝度を連続的に高めるために用いられ、動画の撮影時に使用される。このように、外部ストロボ２００のストロボ部は、静止画撮影の際に発光される照射光が変更可能な第１の補助光手段と、動画撮影の際に発光される照射角が固定された第２の補助光手段とを有する。
【００３８】
Ｘｅ管２０７の発光に必要な電気エネルギは、昇圧回路２０３内のメインコンデンサ（不図示）から供給される。昇圧回路２０３はストロボ制御コンピュータ２０１の制御命令を受け、バッテリＳ２３７の電圧を昇圧し、メインコンデンサに電荷を蓄積する。昇圧回路２０３に接続された発光制御回路２０５は、Ｘｅ管２０７へトリガ信号を印加することで発光を開始させ、ＩＧＢＴ等のスイッチ素子を用いてＸｅ管２０７に流れる電荷量を制御する。
【００３９】
Ｘｅ管２０７の前方には可動拡散レンズ２０９が配置されており、この可動拡散レンズ２０９とＸｅ管２０７の距離は、ストロボ照射角制御機構２１３によって変えられる。この距離が変化すると、Ｘｅ管２０７から放たれる光の照射範囲（照射角度）が変化する。ストロボ照射角制御機構２１３は、稼働拡散レンズ２０９の駆動に必要なアクチュエータを含み、アクチュエータの駆動信号は、アクチュエータ制御回路２１１から供給される。なお、ここで開示された照射範囲変更手段の構成は一例であり、これに限らず、例えば、Ｘｅ管２０７の位置を変位させてよいし、またＸｅ管２０７の反射板（不図示）の位置を変位させてもよい。
【００４０】
第２の補助光手段を構成する照明用のＬＥＤ２２３の駆動電流は、ストロボ制御コンピュータ２０１の制御命令に従ってＬＥＤ駆動回路２２１から供給される。ＬＥＤ２２３から放たれる光の照射範囲（照射角度）は、拡散レンズ２２５によって設定される。ＬＥＤ２２３を補助光として使用する場合は、主に動画撮影中であり、このときは音声の記録も行われる。動画記録中の音声にノイズが混入することを防止する必要があり、音声ノイズを発生するメカ機構を動かすことは望ましくない。そこで、本実施形態においては、ＬＥＤ２２３の照射範囲を変更させるためのメカ機構を設けず、従って拡散レンズ２２５を固定し、ＬＥＤ２２３の照射範囲を固定している。
【００４１】
ストロボ制御コンピュータ２０１は、ストロボ表示部２３１、ストロボ操作部材２３３、ストロボ電源回路２３５に接続されている。このストロボ表示部２３１は、ストロボの設定モード等の種々の表示を行う。ストロボ操作部材２３３は、ユーザが外部ストロボ２００を操作するために使用する。Ｐｏｗｅｒ  ＳＷは、外部ストロボ２００の動作の起動と停止を制御するためのスイッチである。ＭｏｄｅＳｅｔ  ＳＷは、外部ストロボ２００のストロボモード（例えば、オート、マニュアル等）を設定するためのスイッチである。
【００４２】
バッテリＳ２３７は、外部ストロボ２００内の電源供給用の電池であり、ストロボ電源回路２３５に接続され、ストロボ電源回路２３５を介して、外部ストロボ２００内に電源電圧を供給する。外部ストロボ２００は、発光のために電気エネルギを大量に消費するために、独自の電源を備えている。
【００４３】
上述のカメラコントローラ１０１によって制御されるストロボ制御コンピュータ２０１は、静止画撮影モードにおいては、ズームレンズの焦点距離に応じて第１の補助光手段の照射角を変更し（図２のＳ１０２参照）、動画撮影モードにおいては、ズームレンズの焦点距離が変更されても第１の補助光手段の照射角を変更しない（図３のＳ２２３参照）。また、動画撮影モードにおいて、動画データの生成を行わない待機状態で、ズームレンズの焦点距離に応じて第１の補助光手段の照射角を変更する（図３のＳ２０２参照）。また、動画撮影モードにおいて、音声記録を伴わない動画データの生成と記録を行う場合、ズームレンズの焦点距離に応じて第１の補助光手段の照射角を変更する（図６のＳ２１６参照）。また、後述する外部マクロフォン４０１が選択された場合、動画撮影モードが選択された場合であっても、ズームレンズの焦点距離に応じて第１の補助光手段の照射角を変更する（図６のＳ２１６参照）。
【００４４】
カメラボディ１００に着脱自在な外部マイク４００内には、外部マイクロフォン４０１が設けられており、外部マイクロフォン４０１で取得された音声電気信号はマイクコネクタ１３５を介して音声処理回路１２３に出力される。
【００４５】
本実施形態に開示されたカメラシステムは、音声を入力するためのマイクロフォンとして、第１及び第２のマイクロフォンのいずれかを選択することができる。ここで、第１のマイクロフォンは、カメラボディ１００に内蔵された内蔵マイクロフォン１２５である。第２のマイクロフォンは、カメラボディ１００に着脱可能なアクセサリ（外部マイク）としてのマイクロフォン（外部マイク４００）である。本実施形態においては、第２のマイクロフォンである外部マイク４００が装着されると、第１のマイクロフォンである内蔵マイクフォン１２５からの音声電気信号の入力は禁止される。
【００４６】
次に、本発明の第１実施形態の動作について、図２ないし図５に示したフローチャートを用いて説明する。なお、図２および図３に示すフローチャートは、不揮発性メモリ１１５に記憶されたプログラムに従って、カメラコントローラ１０１内のＣＰＵ１０１ａによって実行される。
【００４７】
本実施形態におけるカメラシステムは、大別すると２つの動作モードを有する。一つは静止画撮影に適した静止画撮影モードであり、もう一つは動画撮影に適した動画撮影モードである。ユーザはカメラ操作部材１１７中のＭｏｖ／ＳｔｌＳＷ１１７ｇを操作することにより、２つの動作モードの何れかを選択することができる。
【００４８】
図２は、ユーザが静止画撮影モードを選択した際に、カメラコントローラ１０１が実行する静止画撮影モードのフローを示す。この静止画撮影モードのフローに入ると、まず、初期設定を行う（Ｓ１００）。この所的設定では、ライブビューの表示形態を設定する。静止画像のアスペクト比として一般的な値は、４：３（或いは３：２）である。ライブビュー表示を行うために取得される画像のアスペクト比に合わせるために、表示画面のアスペクト比も４：３に設定する。この動作によって、ユーザは静止画像の撮影範囲の全てを観察することができる。
【００４９】
初期設定を行うと、次に、ストロボ通信を行う（Ｓ１０２）。ここでは、カメラボディ１００と外部ストロボ２００との間で通信動作を行い、カメラコントローラ１０１は、ストロボ制御コンピュータ２０１に照射角の変更動作を許可する。この許可を受けると、ストロボ制御コンピュータ２０１は、照射範囲変更手段（可動拡散レンズ２０９、アクチュエータ制御回路２１１、ストロボ照射角制御機構２１３）を制御することが可能となる。
【００５０】
ストロボ通信を行うと、次に、レンズ通信を行う（Ｓ１０４）。ここでは、カメラボディ１００と交換レンズ３００との間で通信動作を行い、カメラコントローラ１０１はレンズ制御コンピュータ３０１にレンズ情報の取得を要求する。この要求を受けると、レンズ制御コンピュータ３０１は、レンズ情報（例えば、レンズのタイプ（ズームレンズ、マクロレンズ等）、焦点距離データ（エンコーダ値）、絞り値等）をカメラコントローラ１０１に送信する。
【００５１】
レンズ通信を行うと、次に、ストロボ通信を行う（Ｓ１０６）。ここでは、カメラボディ１００と外部ストロボ２００との間で通信を行い、カメラコントローラ１０１はストロボ制御コンピュータ２０１に制御情報を送信する。この制御情報には、レンズの焦点距離データに基づいて算出されたストロボの照射範囲を示す情報が含まれる。この情報に基づきストロボコントローラ２０１は、照射範囲変更手段を制御する。また制御情報にはストロボの照射範囲を変更する際の変更速度を示す情報も含まれる。この制御情報に基づき、ストロボ制御コンピュータ２０１は、照射範囲変更手段を構成するアクチュエータ（可動拡散レンズ２０９の駆動に必要なアクチュエータ）の駆動速度を設定できる。駆動速度を速くすると、照射範囲変更手段から生じる機械的音声ノイズが大きくなり、一方、駆動速度を遅くすると、照射範囲変更手段から生じる機械的音声ノイズが小さくなる。駆動速度を適切に設定することで外部ストロボ２００の電池消耗を防ぐことができる。
【００５２】
レリーズ釦の操作が検出される前の待機状態において、カメラコントローラ１０１は、ステップＳ１０４とＳ１０６の動作を周期的に実行する。この動作によって、ユーザが交換レンズ３００の焦点距離の変更操作（ズーミング動作）を行うと、撮影レンズ３０５の焦点距離に応じて、外部ストロボ２００の照射角（照射範囲）は変化する。
【００５３】
続いて、カメラボディ１００と交換レンズ３００との間でレンズ通信動作を行う（Ｓ１０８）。ここでは、被写体の輝度情報を撮像回路１０３中の撮像素子のライブビュー用画像から取得し、輝度情報に応じて交換レンズ３００の絞り３０７の絞り値を算出する。この算出された絞り値を、レンズ制御コンピュータ３０１に送信する。レンズ制御コンピュータ３０１は、受信した絞り値に基づき絞り機構３０９を制御する。待機状態において、カメラコントローラ１０１は、ステップＳ１０８の動作を周期的に実行する。この動作によってライブビュー表示に必要な被写体画像を適切な露出条件で取得することができる。
【００５４】
ステップＳ１０８におけるレンズ通信を行うと、レリーズ釦に連動する１ｓｔＲｅｌ  ＳＷ１１７ｅがオンか否かを検出する（Ｓ１１０）。ユーザが撮影準備状態に入ることを意図する場合には、レリーズ釦の半押しを行う。このステップにおける判定の結果、レリーズ釦が半押しされていなかった場合には、ステップＳ１０４に戻り、前述の動作を周期的に実行する。
【００５５】
一方、ステップＳ１１０における判定の結果、１ｓｔＲｅｌ  ＳＷ１１７ｅがオンであった場合には、次に、焦点調節動作を行う（Ｓ１１２）。ここでは、カメラコントローラ１０１内の焦点検出回路１０１ｄが撮像素子からのライブビュー用画像を入力しコントラスト値を算出し、レンズ制御コンピュータ３０１と協働し、いわゆるコントラストＡＦによって被写体コントラストのピーク位置へフォーカスレンズ３０５ｂを駆動する。
【００５６】
焦点調節動作を行うと、次に、静止画撮影条件の設定を行う（Ｓ１１４）。ここでは、被写体の輝度情報を撮像素子のライブビュー用画像から取得し、輝度情報に応じて適正露出となる絞り値、シャッタ時間、ストロボ発光量を算出する。
【００５７】
静止画撮影条件の設定を行うと、次に、レリーズ釦に連動する２ｎｄＲｅｌ  ＳＷ１１７ｆがオンか否かを検出する（Ｓ１１６）。ユーザが撮影を行うことを意図する場合には、レリーズ釦の全押しを行う。このステップにおける判定の結果、レリーズ釦が全押しされていなかった場合には、ステップＳ１１０に戻り、前述の動作を実行する。
【００５８】
ステップＳ１１６における判定の結果、２ｎｄＲｅｌ  ＳＷ１１７ｆがオンであった場合には、次に、ストロボ発光が必要か否かの判定を行う（Ｓ１１８）。ここでは、ステップＳ１１4で設定された撮影条件から第１の補助光（Ｘｅ管２０７）による被写体の照明が必要か否かを判定する。
【００５９】
ステップＳ１１８における判定の結果、ストロボ発光が必要の場合には、次に、ストロボ通信を行う（Ｓ１２０）。ここでは、カメラボディ１００と外部ストロボ２００の間で通信動作を行い、カメラコントローラ１０１からストロボ制御コンピュータ２０１に発光量を送信するとともに、Ｘｅ管２０７の発光を要求する。この要求を受けたストロボ制御コンピュータ２０１は、カメラコントローラ１０１からトリガ信号が出力されるまで待機する。トリガ信号を受信すると、このトリガ信号に同期して、Ｘｅ管２０７を閃光発光させる。
【００６０】
ステップＳ１２０においてストロボ通信を行うと、またはステップＳ１１８における判定の結果、ストロボ発光が必要でなかった場合には、次に、静止画像の取得動作を行う（Ｓ１２２）。ここでは、カメラコントローラ１０１は、ステップＳ１１４において設定した条件で撮像回路１０３を制御し、画像データを取得し、公知の画像ファイルを生成する。カメラコントローラ１０１は、撮像素子への露光時間を制御するシャッタ１０５を駆動する動作に同期してトリガ信号を生成し、ストロボ制御コンピュータ２０１に送信する。ストロボ制御コンピュータ２０１は、前述したように、トリガ信号を受信するとＸｅ管２０７の閃光発光を行う。静止画像の取得動作を行うと、ステップＳ１０４に戻り、前述の動作を行う。
【００６１】
このように、静止画撮影モードにおいて、外部ストロボ２００は、ステップＳ１０２において照射角変更が許可され、ステップＳ１０６におけるストロボ通信において交換レンズ３００の焦点距離データから算出されたストロボの照射範囲を示す情報を取得する。外部ストロボ２００内の照射範囲変更手段（可動拡散レンズ２０９、アクチュエータ制御回路２１１、ストロボ照射角度制御機構２１３）は、ストロボ照射範囲情報を用いて、照射範囲の変更を行う。この際、アクチュエータを駆動する音が機械的ノイズとして発生するが、録音等を行っていないので、特に問題とはならない。
【００６２】
図３は、ユーザが動画撮影モードを選択した際に、カメラコントローラ１０１が実行する動画撮影モードのフローを示す。この動画撮影モードのフローに入ると、まず、初期設定を行う（Ｓ２００）。この所的設定では、ライブビューの表示形態を設定する。動画像のアスペクト比として一般的な値は、１６：９である。ライブビュー表示を行うために取得される画像のアスペクト比に合わせるために、表示画面のアスペクト比も１６：９に設定する。この動作によって、ユーザは記録される動画像の撮影範囲の全てを観察することができる。
【００６３】
初期設定を行うと、次に、ストロボ通信を行う（Ｓ２０２）。ここでは、カメラボディ１００と外部ストロボ２００との間で通信動作を行い、カメラコントローラ１０１は、ストロボ制御コンピュータ２０１に照射角の変更動作を許可する。この許可を受けると、ストロボ制御コンピュータ２０１は、照射範囲変更手段（可動拡散レンズ２０９、アクチュエータ制御回路２１１、ストロボ照射角制御機構２１３）を制御することが可能となる。
【００６４】
動画撮影モードは、動画の記録に適したモードである。動画の記録中は音声データも記録されるため、カメラシステムから不要な音声ノイズが生じることは避ける必要がある。しかし、カメラが動画撮影モードに設定されていても、カメラ操作部材１１７のＭｏｖＳｔ  ＳＷ１１７ｇがオンするまでは、動画の記録動作は開始されない。動画の記録動作が行われていないときには、外部ストロボ２００が機械的音声ノイズを発生したとしても問題がない。そこで、動画記録釦の操作が検出される前の待機状態においては、外部ストロボ２００の照射角の変更動作を許可している。
【００６５】
ステップＳ２０２においてストロボ通信を行うと、次に、レンズ通信を行う（Ｓ２０４）。ここでは、ステップＳ１０４と同様に、カメラボディ１００と交換レンズ３００との間で通信動作を行い、カメラコントローラ１０１はレンズ制御コンピュータ３０１にレンズ情報の取得を要求する。この要求を受けると、レンズ制御コンピュータ３０１は、レンズ情報（例えば、レンズのタイプ（ズームレンズ、マクロレンズ等）、焦点距離データ（エンコーダ値）、絞り値等）をカメラコントローラ１０１に送信する。
【００６６】
レンズ通信を行うと、次に、ストロボ通信を行う（Ｓ２０６）。ここでは、ステップＳ１０６と同様に、カメラボディ１００と外部ストロボ２００との間で通信を行い、カメラコントローラ１０１はストロボ制御コンピュータ２０１に制御情報を送信する。この制御情報には、レンズの焦点距離データに基づいて算出されたストロボの照射範囲を示す情報が含まれる。この情報に基づきストロボ制御コンピュータ２０１は、照射範囲変更手段を制御する。また制御情報にはストロボの照射範囲を変更する際の変更速度を示す情報も含まれる。なお、前述したように、ＭｏｖＳｔ  ＳＷが１１７ｇオンするまでは、動画の記録動作は開始されないので、このタイミングで外部ストロボ２００のアクチュエータを駆動したとしても問題がない。
【００６７】
レリーズ釦の操作が検出される前の待機状態において、カメラコントローラ１０１は、ステップＳ１０４とＳ１０６の動作を周期的に実行する。この動作によって、ユーザが交換レンズ３００の焦点距離の変更操作（ズーミング動作）を行うと、撮影レンズ３０５の焦点距離に応じて、外部ストロボ２００の照射角（照射範囲）は変化する。
【００６８】
続いて、ステップＳ１０８と同様に、カメラボディ１００と交換レンズ３００との間でレンズ通信動作を行う（Ｓ２０８）。ここでは、被写体の輝度情報を撮像回路１０３中の撮像素子のライブビュー用画像から取得し、輝度情報に応じて交換レンズ３００の絞り３０７の絞り値を算出する。この算出された絞り値を、レンズ制御コンピュータ３０１に送信する。レンズ制御コンピュータ３０１は、受信した絞り値に基づき絞り機構３０９を制御する。待機状態において、カメラコントローラ１０１は、ステップＳ１０８の動作を周期的に実行する。この動作によってライブビュー表示に必要な被写体画像を適切な露出条件で取得することができる。
【００６９】
レンズ通信を行うと、次に、ステップＳ１１２と同様に、焦点調節動作を行う（Ｓ２１０）。カメラコントローラ１０１は、焦点検出回路１０１ｄによって被写体像のコントラスト値を取得し、このコントラスト値に基づく焦点調節動作を周期的に実行する。この動作によって待機状態（或いは動画記録中）において被写体にピントが合った画像データを取得できる。
【００７０】
焦点調節動作を行うと、次に、ＭｏｖＳｔ  ＳＷ１１７ｇの状態（動画記録釦）を検出できたか否かを判定する（Ｓ２１２）。ユーザが動画の記録を開始することを意図する場合、また動画の記録中に動画記録を停止することを意図した場合に動画記録釦を操作する。この判定の結果、動画記録釦が操作されない場合には、ステップＳ２０４に戻る。
【００７１】
ステップＳ２１２における判定の結果、動画の記録動作中にＭｏｖＳｔ  ＳＷ１１７ｇがオンとなった場合には、次に、動画像の記録動作中か否かの判定を行う（Ｓ２１４）。ここでは、動画の記録動作中にＭｏｖＳｔ  ＳＷがオンしたのか、待機状態においてＭｏｖＳｔ  ＳＷが１１７ｇオンしたのかを判定する。動画の記録動作中にＭｏｖＳｔ  ＳＷ１１７ｇがオンした場合には、動画の記録動作を停止するためにステップＳ２２６に移行する。一方、待機状態中にＭｏｖＳｔ  ＳＷ１１７ｇがオンした場合には、動画の記録動作を開始するために、ステップＳ２２０に移行する。
【００７２】
ステップＳ２１４における判定の結果、動画像の記録中であった場合には、照明ＬＥＤ発光が必要か否かを判定する（Ｓ２２０）。被写体輝度に基づき動画記録中に第２の補助光手段（外部ストロボ２００内のＬＥＤ２２３）を用いて被写体を照射する必要があるか否名を判定する。
【００７３】
ステップＳ２２０における判定の結果、照明ＬＥＤの発光が必要な場合には、ストロボ通信を行う（Ｓ２２２）。このステップでは、カメラコントローラ１０１は、ストロボ制御コンピュータ２０１にＬＥＤ点灯要求の通信を行う。
【００７４】
ステップＳ２２２においてストロボ通信を行うと、またはステップＳ２２０における判定の結果、照明ＬＥＤが必要でなかった場合には、次に、ストロボ通信を行う（Ｓ２２３）。ここでは、カメラボディ１００と外部ストロボ２００との間で通信動作を行い、カメラコントローラ１０１はストロボ制御コンピュータ２０１に照射角の変更動作を禁止する。この禁止を受けると、ストロボ制御コンピュータ２０１は、照射範囲変更手段による制御を禁止する。前述したように、動画の記録中もステップＳ２０４とＳ２０６における動作は周期的に実行される。従って、ストロボ制御コンピュータ２０１は、交換レンズ３００の最新状態に適した照射角（照射範囲）に関する情報を取得できる。
【００７５】
ストロボ通信を行うと、次に、動画像の記録を開始する（Ｓ２２４）。ここでは、動画の記録動作を開始する。所定の画像ファイルを生成し、圧縮された画像データの記録媒体への記録動作を開始する。動画の記録を開始すると、ステップＳ２０４に戻り、再度、動画記録釦が操作されるまでは、動画撮影が続行される。
【００７６】
ステップＳ２１４における判定の結果、動画像の記録動作中であった場合には、動画像の記録動作を停止する（Ｓ２２６）。ここでは画像データの圧縮動作を終了すると共に、画像ファイルを閉じる。
【００７７】
動画像の記録を停止すると、次に、照明ＬＥＤが点灯中であるか否かを判定し（Ｓ２２８）、この判定の結果、点灯中であれば、ストロボ通信を行う（Ｓ２３０）。ステップＳ２２２におけるストロボ通信においてＬＥＤ点灯要求を行った場合には、このステップで、カメラコントローラ１０１はストロボ制御コンピュータ２０１に対してＬＥＤ消灯要求を送信する。ストロボ制御コンピュータ２０１ＬＥＤ消灯要求を受信すると、ＬＥＤ２２５を消灯させる。
【００７８】
ステップＳ２３０においてストロボ通信を行うと、またはステップＳ２２８における判定の結果、照明ＬＥＤが点灯中でなかった場合には、次に、ストロボ通信を行う（Ｓ２３２）。ここでは、カメラボディ１００と外部ストロボ２００の間で通信動作を行い、カメラコントローラ１０１はストロボ制御コンピュータ２０１に照射角の変更動作を許可する。ストロボ制御コンピュータ２０１は、照射範囲変更手段の制御を再開し、ステップＳ２０４に戻る。
【００７９】
このように、動画撮影モードにおいて、動画の記録動作中は、外部ストロボ２００は、ステップＳ１０２において照射角変更が禁止される。このため、外部ストロボ２００内の照射範囲変更手段（アクチュエータ制御回路２１１、ストロボ照射角度制御機構２１３、可動拡散レンズ２０９）は、照射範囲の変更を行うことなく、アクチュエータを駆動する音が機械的ノイズとして発生することがない。
【００８０】
また、動画の記録動作中でなければ、ステップＳ１０６におけるストロボ通信において交換レンズ３００の焦点距離データから算出されたストロボの照射範囲を示す情報を取得し、外部ストロボ２００内の照射範囲変更手段（アクチュエータ制御回路２１１、ストロボ照射角度制御機構２１３、可動拡散レンズ２０９）は、ストロボ照射範囲情報を用いて、照射範囲の変更を行う。この際、アクチュエータを駆動する音が機械的ノイズとして発生するが、録音等を行っていないので、特に問題とはならない。また、交換レンズ３００のズーミング動作に応じて、照射角を変更しているので、動画撮影モードから静止画撮影モードに変更された場合、直ちに適正な照射角で閃光発光を行うことができる。
【００８１】
図４は、外部ストロボ２００を制御するストロボ制御コンピュータが実行する動作を示したフローチャートである。このフローチャートは、外部ストロボ２００内の不揮発性メモリ（不図示）に記憶されたプログラムに従い、ストロボ制御コンピュータ２０１はカメラコントローラ１０１から送信されてくる要求（指令）に応じて所定の動作を実行する。
【００８２】
ストロボ制御のフローに入ると、まず、ストロボ初期設定を行う（Ｓ３００）。ここでは、昇圧回路２０３がストロボ電源回路２３５から供給される電源電圧を昇圧し、メインコンデンサへの充電を開始する。
【００８３】
ストロボ初期設定を行うと、次にカメラと通信を行う（Ｓ３０２）。静止画撮影モードのステップＳ１０２、Ｓ１０６、Ｓ１２０、また動画撮影モードのステップＳ２０２、Ｓ２０６、Ｓ２２２、Ｓ２２３、Ｓ２３０等において、カメラボディ１００と外部ストロボ２００との間で通信動作を行っている。このステップでは、カメラボディ１００からコマンドを受信する。
【００８４】
カメラと通信を行い、コマンドを受信すると、ステップＳ３０４以下において、コマンドの内容を判定する。まず、コマンドがＬＥＤ点灯要求か否かの判定を行う（Ｓ３０４）。動画撮影モードにおいて被写体輝度が暗く、ＬＥＤ２２３の点灯が必要な場合には、ステップＳ２２２（図３参照）において、カメラコントローラ１０１はストロボ制御コンピュータ２０１にＬＥＤ点灯要求を送信する。このステップでは、このＬＥＤ点灯要求を受信したか否かを判定する。
【００８５】
ステップＳ３０４における判定の結果、受信したコマンドがＬＥＤ点灯要求であった場合には、駆動条件を設定し、ＬＥＤを点灯する（Ｓ３０６）。ここでは、ストロボ制御コンピュータ２０１はＬＥＤ駆動回路２２１に対してＬＥＤ２２３を点灯させる。
【００８６】
ステップＳ３０４における判定の結果、ＬＥＤ点灯要求でなかった場合には、次に、ＬＥＤ消灯要求か否かを判定する（Ｓ３０８）。ＬＥＤ２２３の点灯時に動画像の記録を停止すると、ステップＳ２３０（図３参照）において、カメラコントローラ１０１はストロボ制御コンピュータ２０１にＬＥＤ消灯要求を送信する。このステップでは、このＬＥＤ消灯要求を受信したか否かを判定する。
【００８７】
ステップＳ３０８における判定の結果、消灯要求であった場合には、ＬＥＤをオフする（Ｓ３１０）。ここでは、ストロボ制御コンピュータ２０１はＬＥＤ駆動回路２２１に対してＬＥＤ２２３を消灯させる。
【００８８】
ステップＳ３０８における判定の結果、ＬＥＤ消灯要求でなかった場合には、次に、照射角変更動作の許可・禁止情報を受信したか否かを判定する（Ｓ３１２）。静止画撮影モードの場合には、ステップＳ１０２（図２参照）において照射角変更許可を、また動画撮影モードの場合には、ステップＳ２０２（図３参照）において照射角変更許可を、ステップＳ２２３において照射角変更禁止を、ステップＳ２３２において照射角変更許可を受信する。このステップでは、これらの照射角変更許可・禁止を、外部ストロボ２００内のメモリ（不図示）に記憶する。この記憶された情報は、後述するステップＳ３２０における判定の際に使用する。
【００８９】
ステップＳ３１２における判定の結果、照射角変更動作の許可・禁止情報の受信ではなかった場合には、次に、照射角の制御情報を受信したか否かの判定を行う（Ｓ３１６）。カメラコントローラ１０１は、ステップＳ１０４（図２参照）、Ｓ２０４（図３参照）において、交換レンズ３００と通信を行い、焦点距離データ等のレンズ情報を取得し、ステップＳ１０６、Ｓ２０６において、レンズの焦点距離データに基づいて算出されたストロボの照射範囲を示す制御情報をストロボ制御コンピュータ２０１に送信する。また、照射範囲変更手段を構成するアクチュエータ（可動拡散レンズ２０９の駆動に必要なアクチュエータ）の駆動速度に関する制御情報も送信する。このステップでは、ストロボの制御情報を受信したか否かを判定する。
【００９０】
ステップＳ３１６における判定の結果、制御情報を受信した場合には、次に、照射角（照射範囲）、駆動速度等の制御情報を記憶する（Ｓ３１８）。ここでは、外部ストロボ２００内のメモリ（不図示）に記憶する。この記憶された情報は、後述するステップＳ３２２における可動拡散レンズ２０９の駆動の際に使用する。
【００９１】
制御情報を記憶すると、次に、許可・禁止情報の設定があるか否かを判定する（Ｓ３２０）。前述したように、ステップＳ３１４において、照射角変更動作の許可・禁止情報が記憶されているので、この記憶値に基づいて判定する。
【００９２】
ステップＳ３２０における判定の結果、許可が記憶されていた場合には、次に、現在の照射角と制御情報に基づき可動拡散レンズ２０９を駆動する（Ｓ３２２）。ここでは、ストロボ制御コンピュータ２０１は、アクチュエータ制御回路２１１によって、現在の照射角と制御情報に基づいて、焦点距離に応じて適正となる照射角となるように、受信した駆動速度で可動拡散レンズ２０９を駆動させる。
【００９３】
ステップＳ３１６における判定の結果、照射角の制御情報を受信していない場合には、次に、Ｘｅ管の発光要求か否かの判定を行う（Ｓ３２４）。カメラコントローラ１０１は、ステップＳ１１８（図２参照）において発光量を算出しストロボ発光要求を送信する。このステップでは、この発光要求と発光量情報を受信したか否かを判定する。
【００９４】
ステップＳ３２４における判定の結果、Ｘｅ管の発光要求と発光量情報を受信した場合には、次にトリガ信号を受信した否かを判定する（Ｓ３２６）。カメラコントローラ１０１は、ステップＳ１２２（図２参照）において静止画画像の取得の際に、トリガ信号を送信する。このステップでは、トリガ信号を受信したか否かを判定し、未受信の場合には受信を待つ。
【００９５】
ステップＳ３２６における判定の結果、トリガ信号を受信すると、発光量に基づきＸｅ管を所定時間発光させる（Ｓ３２８）。ここでは、受信した発光量情報尾に基づいて、発光制御回路２０５がＸｅ管２０７の発光時間を制御する。
【００９６】
ステップＳ３２４における判定の結果、Ｘｅ管の発光要求と発光量情報を受信しない場合には、次に、その他の動作を実行する（Ｓ３３０）。ここでは、上述した以外のストロ制御動作を実行する。その他の動作としては、例えば、カメラコントローラ１０１の要求に応じて、メインコンデンサ充電レベル、照射角の変更範囲、Ｘｅ管の最大発光量、照明ＬＥＤの最大発光量等を送信する。
【００９７】
ステップＳ３３０においてその他の動作を行うと、またはステップＳ３２８、Ｓ３２２、Ｓ３１４、Ｓ３１０、Ｓ３０６における各処理を実行すると、またはステップＳ３２０における判定の結果、禁止情報が記憶されている場合には、ステップＳ３０２に戻る。
【００９８】
このように、本実施形態におけるストロボ制御のフローでは、カメラコントローラ１０１からのコマンドに応じた処理を実行する。例えば、照射角変更動作の禁止を受信した場合には、照射範囲変更手段による外部ストロボ２００の照射範囲の変更動作は禁止される。この場合には、外部ストロボ２００の照射範囲の変更動作に伴う機械的ノイズが発生することがなく、動画撮影モードで音声の記録を行っていても、不快な雑音が記録されることがない。
【００９９】
図５は、交換レンズ３００を制御するレンズ制御コンピュータ３０１が実行する動作を示したフローチャートである。このフローチャートは、交換レンズ３００内の不揮発性メモリ（不図示）に記憶されたプログラムに従い、レンズ制御コンピュータ３０１はカメラコントローラ１０１から送信されてくる要求（指令）に応じて所定の動作を実行する。
【０１００】
レンズ制御のフローに入ると、まず、レンズ初期設定を行う（Ｓ４００）。ここでは、機械的および電気的な初期設定を行う。機械的な初期設定動作としては、例えば、絞り３０７を開放状態に設定したり、∞位置に焦点が合うようにレンズ位置を設定する等がある。
【０１０１】
レンズ初期設定を行うと、次に、カメラと通信を行う（Ｓ４０２）。静止画撮影モードのステップＳ１０４、Ｓ１０８、また動画撮影モードのステップＳ２０４、Ｓ２０８等において、カメラボディ１００と交換レンズ３００との間で通信動作を行っている。このステップでは、カメラボディ１００からコマンドを受信する。
【０１０２】
カメラと通信を行い、コマンドを受信すると、ステップＳ４０４以下において、コマンドの内容を判定する。まず、レンズ情報を要求しているか否かを判定する（Ｓ４０４）。ステップＳ１０４、Ｓ２０４において、カメラコントローラ１０１は、レンズのタイプ（ズームレンズ、マクロレンズ等）、焦点距離データ（エンコーダ値）、絞り値等）等のレンズ情報を要求する。
【０１０３】
ステップＳ４０４における判定の結果、レンズ情報の要求であった場合には、レンズ焦点距離データに相当するエンコーダ値を取得し送信する（Ｓ４０６）。撮影レンズ３０５の焦点距離は、焦点距離エンコーダ３１３によって検出可能であるので、レンズ制御コンピュータ３０１は、焦点距離エンコーダ３１３によって検出されたエンコーダ値をカメラコントローラ１０１に送信する。
【０１０４】
ステップＳ４０４における判定の結果、レンズ情報の要求でなかった場合には、絞り駆動を要求しているか否かを判定する（Ｓ４０８）。ステップＳ１０８、Ｓ２０８において、カメラコントローラ１０１は、算出された絞り値を送信すると共に絞り駆動を要求する。
【０１０５】
ステップＳ４０８における判定の結果、絞り駆動要求であった場合には、絞り機構の制御を行う（Ｓ４１０）。ここでは、レンズ制御コンピュータ３０１は、受信した絞り値となるように、絞り機構３０９を制御する。
【０１０６】
ステップＳ４０８における判定の結果、絞り駆動要求でなかった場合には、レンズ駆動要求であるか否かを判定する（Ｓ４１２）。ステップＳ１１２、Ｓ２１０において、カメラコントローラ１０１は、算出したコントラスト値に基づいて焦点調節動作を行う。
【０１０７】
ステップＳ４１２における判定の結果、レンズ駆動要求であった場合には、フォーカス機構の制御を行う（Ｓ４１４）。ここでは、レンズ制御コンピュータ３０１は、カメラコントローラ１０１からの制御信号に従って、フォーカス機構３０３の駆動制御を行う。
【０１０８】
ステップＳ４１２における判定の結果、レンズ駆動要求ではなかった場合には、その他の動作を実行する（Ｓ４１６）。ここでは、前述のコマンド以外の動作を実行する。
【０１０９】
ステップＳ４１６においてその他の動作を行うと、または各ステップＳ４０６、Ｓ４１０、Ｓ４１４において処理を実行すると、ステップＳ４０２に戻る。
【０１１０】
このように、本実施形態におけるレンズ制御のフローでは、カメラコントローラ１０１からのコマンドに応じた処理を実行する。例えば、レンズ情報の要求があると、レンズ焦点距離データ等を取得し、カメラコントローラ１０１に送信する。カメラコントローラ１０１は、前述したように、レンズ焦点距離データを用いて照射範囲（照射角）を算出し、この照射範囲を外部ストロボ２００に送信する。
【０１１１】
次に、本発明の第２実施形態について図６に示すフローチャートを用いて説明する。本発明の第１実施形態においては、動画の記録動作中は、外部ストロボ２００の照射範囲変更手段による動作を禁止した。これは、前述したように、照射範囲変更手段から生じる機械的音声ノイズが動画データに付加される音声データに重畳することを防止するためである。しかし、動画の記録動作中に照射範囲変更手段の動作を禁止すると、動画撮影モードから静止画撮影モードに切換えた直後に外部ストロボ２００のＸｅ管２０７を発光させて静止画撮影を行う場合に、適正な照射範囲とすることができない。撮影レンズ３０５の撮影範囲に適したストロボの照射角（照射範囲）に設定するまでに要する設定時間は、レリーズタイムラグを増加させてしまう。
【０１１２】
そこで、第２実施形態においては、上述の問題を解消するために、動画の記録動作中であっても、所定の条件を満たす場合には、外部ストロボ２００の照射範囲変更手段の動作を許可するようにしている。所定の条件としては、例えば、（１）動画撮影モードであっても音声記録が行われないモードを選択した場合、（２）音声を記録するマクロフォンとしてアクセサリの外部マイクが選択された場合等である。
【０１１３】
また、第２実施形態では、動画記録中にレリーズ釦が操作された際には、動画記録を一時的に中断し静止画撮影を可能としている。この動作は、動画撮影モードから静止画撮影モードへの変更操作（Ｍｏｖ／ＳｔｌＳＷの操作）を省略できる。動画撮影を一時的に中断しても静止画撮影が必要な状況が生じた場合、ユーザは非常手段として、この機能を使用することができる。
【０１１４】
本発明の第２実施形態における構成は、本発明の第１実施形態に係る図１のブロック図に示した構成と同様であるので、詳しい説明は省略する。また、第２実施形態における動作は、第１実施形態に係る図３のフローチャートを図６のフローチャートに変更するだけであるので、この図６に示したフローチャートについて説明する。但し、図６に示すフローチャートの内、ステップＳ２００〜Ｓ２１４、Ｓ２２０〜Ｓ２２４（Ｓ２２３を除く）、Ｓ２２６〜Ｓ２３２（Ｓ２３１を除く）は、図３に示したフローチャートの各ステップと同様の処理を実行する。そこで、図３のフローと同様の処理を行うステップについては、詳しい説明を省略する。なお、図６に示すフローチャートは、不揮発性メモリ１１５に記憶されたプログラムに従って、ＣＰＵ１０１ａによって実行される。
【０１１５】
図６に示す動画撮影モードに入ると、図３に示すフローチャートと同様に、ステップＳ２００〜Ｓ２１２を実行する。ステップＳ２１２において、ＭｏｖＳｔ  ＳＷ１１７ｇの状態（動画記録釦）を検出できたか否かを判定する。前述したように、ユーザが動画の記録を開始することを意図する場合、また動画の記録中に動画記録を停止することを意図した場合に動画記録釦を操作する。
【０１１６】
ステップＳ２１２における判定の結果、動画記録釦が操作された場合には、次に、動画像の記録動作中か否かを判定する（Ｓ２１４）。ここでは、前述したように、動画の記録動作中にＭｏｖＳｔ  ＳＷがオンしたのか、待機状態においてＭｏｖＳｔ  ＳＷ１１７ｇがオンしたのかを判定する。動画の記録動作中にＭｏｖＳｔ  ＳＷ１１７ｇがオンした場合には、動画の記録動作を停止するためにステップＳ２２６に移行する。
【０１１７】
ステップＳ２１４における判定の結果、動画像の記録中であった場合には、次に、録音禁止モード、または外部マイクモードの何れかであるかを判定する（Ｓ２１６）。前述したように、本実施形態においては、動画の記録動作中であっても、所定の条件を満たす場合には、外部ストロボ２００の照射範囲変更手段の動作を許可するようにしており、このステップで所定条件を満たしているか否かを判定する。なお、ステップＳ２１６における判定の対象となるモードの設定方法は種々あるが、例えば、録音禁止モードはメニュー画面等において設定し、外部マイクモードは外部マイク４００がカメラボディ１００に装着されると自動的に設定するようにすればよい。録音禁止モードで動画撮影する際は、音声が記録されることはないので、照射範囲変更手段が音声ノイズを出しても問題ない。外部マイクモードにおいて、外部マイク４００は内蔵マイクロフォン１２５と比べて照射範囲変更手段が出す音声ノイズを拾い難い。したがって、照射範囲変更手段を動作させても問題は少ない。
【０１１８】
ステップＳ２１６における判定の結果、録音禁止モードまたは外部マイクモードに設定されていない場合には、ステップＳ２２３と同様に、ストロボ通信を行う（Ｓ２１８）。ここでは、第１実施形態と同様に、カメラボディ１００と外部ストロボ２００との間で通信動作を行い、カメラコントローラ１０１はストロボ制御コンピュータ２０１に照射角の変更動作を禁止する。この禁止を受けると、ストロボ制御コンピュータ２０１は、照射範囲変更手段による制御を禁止する。
【０１１９】
一方、ステップＳ２１６における判定の結果、録音禁止モードまたは外部マイクモードに設定されていた場合には、ストロボ通信を行わない。このため、ステップＳ２０２において、ストロボ２００の照射角変更許可が維持され、外部ストロボ２００は、動画の記録動作中であっても照射角の変更動作を実行することが可能となる。
【０１２０】
ステップＳ２１８において照射角変更禁止のストロボ通信を行うと、またはステップＳ２１６における判定の結果、録音禁止モードまたは外部マイクモードであった場合は、第１実施形態と同様にステップＳ２２０〜Ｓ２２４において、照明ＬＥＤ２２３を点灯もしくは非点灯の状態で、動画の記録動作を行う。
【０１２１】
また、ステップＳ２１２における判定の結果、ＭｏｖＳｔ  ＳＷ（動画記録釦）のオンを検出できなかった場合には、次に、１ｓｔＲｅｌ  ＳＷ１１７ｅのオンを検出したか否かを判定する（Ｓ２５０）。前述したように、本実施形態においては、動画撮影モードに設定されている場合であっても、レリーズ釦が操作された場合には、動画記録を一時的に中断し静止画撮影を可能としている。そこで、このステップでは、レリーズ釦が半押しされたか否かを判定している。この判定の結果、１ｓｔＲｅｌ  ＳＷ１１７ｅのオンを検出しなかった場合には、ステップＳ２０４に戻る。
【０１２２】
一方、１ｓｔＲｅｌ  ＳＷ１１７ｅのオンを検出した場合には、ステップＳ１１４（図２参照）と同様に、静止画撮影条件の設定を行う（Ｓ２５２）。ここでは、被写体の輝度情報を撮像素子のライブビュー用画像から取得し、輝度情報に応じて適正露出となる絞り値、シャッタ時間、ストロボ発光量を算出する。
【０１２３】
静止画撮影条件の設定を行うと、次に、ステップＳ１１６（図２参照）と同様に、レリーズ釦に連動する２ｎｄＲｅｌ  ＳＷ１１７ｆがオンか否かを検出する（Ｓ２５４）。ユーザが撮影を行うことを意図する場合には、レリーズ釦の全押しを行う。このステップにおける判定の結果、レリーズ釦が全押しされていなかった場合には、ステップＳ２５０に戻る。
【０１２４】
ステップＳ２５４における判定の結果、２ｎｄＲｅｌ  ＳＷ１１７ｆがオンであった場合には、次に、ストロボ発光が必要か否かの判定を行う（Ｓ２５６）。ここでは、ステップＳ２５２で設定された静止画撮影条件から第１の補助光（Ｘｅ管２０７）による被写体の照明が必要か否かを判定する。
【０１２５】
ステップＳ１１８における判定の結果、ストロボ発光が必要の場合には、次に、ステップＳ２０２と同様に、照射角変更許可のレンズ通信を行い（Ｓ２６０）、続いて、ステップＳ２０４と同様に、レンズ情報取得のためのレンズ通信を行う（Ｓ２６２）。また、ステップＳ２０６と同様に、制御情報を送信するためのストロボ通信を行い（Ｓ２６４）、ステップＳ２１８と同様に、照射角変更禁止のストロボ通信を行う（Ｓ２６６）。ステップＳ２６０〜Ｓ２６６の動作によって、一時的に外部ストロボ２００の照射角の変更動作が実行される。したがって、静止画像の撮影に際して、照射範囲と撮影範囲が合う。
【０１２６】
ステップＳ２６６におけるストロボ通信を行うと、またはステップＳ２５８における判定の結果、ストロボ照射角の変更動作を禁止していなかった場合には、ステップＳ１２０（図２参照）と同様に、発光量を算出し、ストロボ発光要求を行うストロボ通信を行う（Ｓ２６８）。ここでは、カメラコントローラ１０１からストロボ制御コンピュータ２０１に発光量を送信するとともに、Ｘｅ管２０７の発光を要求する。この要求を受けたストロボ制御コンピュータ２０１は、カメラコントローラ１０１からトリガ信号が出力されるまで待機する。トリガ信号を受信すると、このトリガ信号に同期して、Ｘｅ管２０７を閃光発光させる。
【０１２７】
ステップＳ２６８においてストロボ通信を行うと、またはステップＳ２５６における判定の結果、ストロボ発光が必要でない場合には、次に、動画記録中の静止画撮影か否かを判定する（Ｓ２７０）。動画撮影モードであっても、ＭｏｖＳｔ  ＳＷ１１７ｇが操作されると動画撮影が開始され、このステップＳ２７０の判定時に動画撮影中でない場合がある。ステップＳ２７０における判定の結果、動画記録中であれば、記録動作の中断処理を行う（Ｓ２７２）。
【０１２８】
ステップＳ２７２において記録動作の中断処理を行うと、またはステップＳ２７０の判定の結果、動画記録中でなかった場合には、ステップＳ１２２（図２参照）と同様に、静止画像の取得動作を行う（Ｓ２７４）。ここでは、カメラコントローラ１０１は、ステップＳ２５２において設定した条件で撮像回路１０３を制御し、画像データを取得し、公知の画像ファイルを生成する。カメラコントローラ１０１は、撮像素子への露光時間を制御するシャッタ１０５を駆動する動作に同期してトリガ信号を生成し、ストロボ制御コンピュータ２０１に送信する。ストロボ制御コンピュータ２０１は、前述したように、トリガ信号を受信するとＸｅ管２０７の閃光発光を行う。静止画像の取得動作を行うと、ステップＳ１０４に戻り、前述の動作を行う。
【０１２９】
ステップＳ２７４において、静止画像の取得動作を行うと、次に、ステップＳ２７０と同様に、動画記録中の静止画撮影か否かを判定する（Ｓ２７６）。この判定の結果、動画記録中であれば、動画記録動作の再開処理を行う（Ｓ２７８）。前述したように、静止画撮影を行うために、ステップＳ２７２において、動画の記録動作を中断したが、ステップＳ２７４において静止画の撮影を行ったことから、このステップで動画撮影を再開する。
【０１３０】
ステップＳ２７８において動画の記録動作の再開を行うと、またはステップＳ２７６において動画記録中の静止画撮影でなかった場合には、ステップＳ２０４に戻る。
【０１３１】
このように、本発明の第２実施形態においては、動画の記録動作中であっても、所定の条件を満たす場合には（Ｓ２１６参照）、外部ストロボ２００の照射範囲変更手段の動作を許可するようにしている（Ｓ２１６Ｙｅｓ、Ｓ２０２参照）。このため、本実施形態においては、動画撮影モードから静止画撮影モードに切換えた直後に外部ストロボ２００のＸｅ管２０７を発光させて静止画撮影を行う場合に、適正な照射範囲とすることができる。
【０１３２】
また、本発明の第２実施形態においては、動画記録中にレリーズ釦が操作された際には、動画記録を一時的に中断し静止画撮影を可能としている。この動作は、動画撮影モードから静止画撮影モードへの変更操作（Ｍｏｖ／ＳｔｌＳＷの操作）を省略でき、ユーザは非常手段として、この機能を使用することができる。動画記録中に静止画撮影を行う場合には、ストロボ照射角の変更動作を禁止している場合には、一旦、許可状態にし（Ｓ２６０参照）、適正は照射範囲となるように照射範囲変更手段を動作させている。このため、本実施形態においては、動画の記録動作中に、外部ストロボ２００のＸｅ管２０７を発光させて静止画撮影を行う場合に、適正な照射範囲とすることができる。また、静止画撮影が終了と、動画の記録動作を再開するようにしている（Ｓ２７８）。このため、煩わしい動画記録の再開操作を行う必要がない。
【０１３３】
なお、本発明の第２実施形態においては、外部ストロボ２００の照射範囲変更手段の動作を許可する所定の条件として、録音禁止モードおよび外部マイクモードの２つのモードであったが、これに限らず、他の条件で判定するようにしてもよい。
【０１３４】
以上説明したように、本発明の実施形態においては、静止画撮影モードにおいては、ズームレンズの焦点距離に応じて第１の補助光手段の照射角を変更し、動画撮影モードにおいては、ズームレンズの焦点距離が変更されても第１の補助光手段の照射角を変更しないようにしている。このため、動画撮影時においてもズームストロボからの騒音を気にせず動画撮影を継続することができる。
【０１３５】
なお、本発明の各実施形態においては、第１の補助光手段（Ｘｅ管２０７等）と、第２の補助光手段（ＬＥＤ２２３等）の２つの発光部を備えていた。しかし、いずれか１つの発光部（Ｘｅ管またはＬＥＤ等）を備え、この１つの発光部によって閃光発光と連続発光を行わせるようにしても勿論かまわない。
【０１３６】
また、本発明の各実施形態においては、撮影のための機器として、デジタルカメラを用いて説明したが、デジタルカメラとしては、デジタル一眼レフカメラ、デジタル一眼カメラでもコンパクトデジタルカメラでもよく、ビデオカメラ、ムービーカメラのような動画用のカメラでもよく、さらに、携帯電話、スマートフォーンや携帯情報端末（ＰＤＡ：Personal Digital Assist）、ゲーム機器等に内蔵されるカメラでも構わない。いずれにしても、ズーミングに応じて照射範囲の異なる発光装置と共に使用する撮影機器であれば、本発明を適用することができる。
【０１３７】
また、特許請求の範囲、明細書、および図面中の動作フローに関して、便宜上「まず」、「次に」等の順番を表現する言葉を用いて説明したとしても、特に断らない限り、この順で実施することが必須であることを意味するものではない。
【０１３８】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１３９】
１００・・・カメラボディ、１０１・・・カメラコントローラ、１０１ａ・・・ＣＰＵ、１０１ｂ・・・画像処理回路、１０１ｃ・・・圧縮・伸長回路、１０１ｄ・・・焦点検出回路、１０１ｅ・・・通信回路、１０３・・・撮像回路、１０５・・・シャッタ、１０７・・・シャッタ機構、１０９・・・カメラ表示部、１１１・・・記憶媒体、１１３・・・不揮発性メモリ、１１５・・・揮発性メモリ、１１７・・・カメラ操作部材、１１７ａ・・・Ｐｏｗｅｒ  ＳＷ、１１７ｂ・・・Ｕｐ  ＳＷ、１１７ｃ・・・Ｄｏｗｎ  ＳＷ、１１７ｄ・・・Ｍｏｖ／Ｓｔｌ  ＳＷ、１１７ｅ・・・１ｓｔＲｅｌ  ＳＷ、１１７ｆ・・・２ｎｄＲｅｌ  ＳＷ、１１７ｇ・・・ＭｏｖＳｔ  ＳＷ、１１９・・・カメラ電源回路、１２１・・・バッテリＣ、１２３・・・音声処理回路、１２５・・・内蔵マイクロフォン、１３１・・・ストロボコネクタ、１３３・・・マウントコネクタ、１３５・・・マイクコネクタ、２００・・・外部ストロボ、２０１・・・ストロボ制御コンピュータ、２０３・・・昇圧回路、
２０５・・・発光制御回路、２０７・・・Ｘｅ管、２０９・・・可動拡散レンズ、２１１・・・アクチュエータ、２１３・・・ストロボ照射角制御機構、２２１・・・ＬＥＤ駆動回路、２２３・・・ＬＥＤ、２２５・・・拡散レンズ、２３１・・・ストロボ表示部、２３３・・・ストロボ操作部材、２３５・・・ストロボ電源回路、２３７・・・バッテリＳ
【図１】
2013160842.tif 000003
【図２】
2013160842.tif 000004
【図３】
2013160842.tif 000005
【図４】
2013160842.tif 000006
【図５】
2013160842.tif 000007
【図６】
2013160842.tif 000008